(57)【要約】      （修正有）【課題】堅牢で耐久性があり、ハンドル操作を楽に行うことのできるシート巻取装置のジョイント構造を提供する。【解決手段】ジョイント機構１０が上部筒状体１１と下部筒状体１２を備え、両筒状体の突き合わせ部が波形曲面１３，１４で形成され、上下部筒状体内に配置したセンター軸外側の中間リングに突出した４カ所の凸ピンを前記波形曲面の山部に夫々止着する。中間リングを挟んでセンター軸の上下部外側に、上下部筒状体の内面に大径部が密着するゴムパッキングを挿着し、上部筒状体を入力軸２に軸着するとともに駆動パイプ６端部にハンドル７を取り付ける。【選択図】図１
0003152740.tif 000002
【実用新案登録請求の範囲】
【請求項１】
巻取軸を回転するための回転伝達手段を内蔵したケーシングの下面に入力軸を突設し該入力軸が、駆動パイプと連動するジョイント機構と連繋するシート巻取装置のジョイント構造であって、前記ジョイント機構が上部筒状体と下部筒状体を備え、両筒状体の突き合わせ部が波形曲面で形成され、上下部筒状体内に配置したセンター軸外側の中間リングに突出した４カ所の凸ピンを前記波形曲面の山部に夫々止着し、中間リングを挟んでセンター軸の上下部外側に、上下部筒状体の内面に大径部が密着するゴムパッキングを挿着し、上部筒状体を入力軸に軸着するとともに駆動パイプ端部にハンドルを取り付けることを特徴とするシート巻取装置のジョイント構造。
【考案の詳細な説明】
【技術分野】
【０００１】  本考案は農業用ハウスに用いられるシート巻取装置のジョイント構造に関する。
【背景技術】
【０００２】  農業用ハウスにおける高所の換気用シートを巻き上げ巻き戻すために手元ハンドルによって巻き取りパイプを回動操作することは通常用いられている手法であり、操作性を向上するために種々の提案もなされている（例えば特許文献１参照）。
【先行技術文献】
【特許文献】
【０００３】
【特許文献１】特開２００６−６５８７６号公報
【考案の概要】
【考案が解決しようとする課題】
【０００４】  特許文献１のものは、シート材の一端に取り付けた巻き上げパイプの一端を挿入して接続する開口部と、この開口部の反対側に突設された略Ｕ字形の第１の連結金具をもつ第１のカップ体と、巻き上げパイプを軸周りに回動させるハンドルと、第１カップ体と対をなしハンドルの一端を挿入して接続する開口部と、この開口部の反対側に突設され、前記第１連結具と交叉状態に連結した略Ｕ字形の第２の連結金具とを有する第２のカップ体とを備え、第１の連結金具の突出長さを、第２の連結長さの突出長さよりも長くしたことを主旨としたもので、この技術は第１のカップ体と第２のカップ体を連結するために夫々の対面部に取り付けたＵ字形の金具を交叉状に組み合わせたことを特徴としている。この装置はシンプルな構造のため安価に提供できるものと理解されるが、交叉状としたＵ字形金具は絶えず露出状態となっているため長期使用中風雨に晒されると錆び付いたりそれを起因としてハンドル操作にも影響をきたすという問題と、新規な金具の交換作業を必要とするなどの手間がかゝることも懸念される。【０００５】  本考案は製作に無駄がなく堅牢で耐久性があり、ハンドル操作を楽に行うことができるシート巻取装置のジョイント構造を提供することを目的としている。
【課題を解決するための手段】
【０００６】  すなわち本考案は、巻取軸を回転するための回転伝達手段を内蔵したケーシングの下面に入力軸を突設し該入力軸が、駆動パイプと連動するジョイント機構と連繋するシート巻取装置のジョイント構造であって、前記ジョイント機構が上部筒状体と下部筒状体を備え、両筒状体の突き合わせ部が波形曲面で形成され、上下部筒状体内に配置したセンター軸外側の中間リングに突出した４カ所の凸ピンを前記波形曲面の山部に夫々止着し、中間リングを挟んでセンター軸の上下部外側に、上下部筒状体の内面に大径部が密着するゴムパッキングを挿着し、上部筒状体を入力軸に軸着するとともに駆動パイプ端部にハンドルを取り付けることを主旨としている。
【考案の効果】
【０００７】  上下部筒状体の突き合わせ部が波形曲面となってその山部にセンター軸外側の中間リングに突出した凸ピンが止着してあるため両筒状体はセンター軸により連動する形となるが、中間リングを挟んで上下部に挿着してあるゴムパッキングが筒状体の内側に密着してあるとはいえ、ゴムパッキングの特性である弾性が程よいクッション機能を有するため上下部筒状体に負荷がかゝると夫々が微妙な動きを発揮する。このためハンドル操作者の立ち位置によって駆動パイプが入力軸に対して傾斜状となってもゴムパッキングが傾斜角度に応じて衝撃を吸収し、上下部筒状体が自動的にフレキシブルな角度調整を行うためハンドルを握る手元の力には重圧がかゝらない。従来品は駆動パイプの曲げ角度が所定位置に設定されていると、力のいれ具合で所期する以上に曲がってその個所でブレーキがかゝるという問題があったが、本案では適度な角度での回転操作を楽に行うことができるためシートの巻き上げ巻き戻しがスムースになされる。【０００８】  ゴムパッキングは耐候性があって紫外線に強い性質をもつ合成ゴム・ナイロンなどの素材を選択することで上下部筒状体の耐久性を一層高めることができ、長期使用しても故障が少なく錆の発生を抑えることができるため部品の交換手数もかゝらず経済的である。【０００９】  上下部筒状体の突き合わせ個所の波形曲面は夫々の山部をあらかじめプレス加工で広げることができ、したがってセンター軸、ゴムパッキングなどの組立作製が容易になるのと、組立後に広げた個所をセンター軸の凸ピンに合わせて収縮すれば上下部筒状体がセンター軸の中間リングと確実に固定するため作業を迅速能率的に行うことができる。
【図面の簡単な説明】
【００１０】
【図１】本考案を用いたシート巻取装置の説明図である。
【図２】本案要部を断面であらわした説明図である。
【図３】本案に用いる部品の一部省略説明図である。
【考案を実施するための形態】
【００１１】  図面に基づき本考案を実施するための形態につき説明すると、図１において１は回転伝達手段（不図示）を内蔵したケーシングであり、２はその下面に突設した入力軸、３はケーシング１の側面に突設した出力軸であり、４はシート５を巻き取り・巻き戻すための巻取軸、また６は駆動パイプであり、７は駆動パイプ６を回動操作するハンドルを示すもので、入力軸２は本案のジョイント機構１０と連繋し、ジョイント機構１０はハンドル７を操作すると回動する駆動パイプ６と連動する。つまりハンドルを操作することにより駆動パイプ６とジョイント機構１０が連動し、ジョイント機構１０と連繋した入力軸２の動きがケーシング１を介して出力軸３に伝わることで巻取軸４を正逆回動するというものであり、巻取装置の全体的な構成は従来品と大差はない。
【００１２】  ジョイント機構１０は上部筒状体１１と下部筒状体１２を備え、両筒状体１１・１２の突き合わせ個所は波形曲面１３・１４で形成されている。上部筒状体１１の波形曲面１３には山部１３ａと谷部１３ｂが２カ所づつあり、また下部筒状体１２の波形曲面１４にも山部１４ａと谷部１４ｂがあり、上部筒状体１１の山部１３ａが下部筒状体１２の谷部１４ｂ内に介入し、下部筒状体１２の山部１４ａが上部筒状体１２の谷部１３ｂ内に介入し、前記入力軸２が上部筒状体１１にネジ止めされ、駆動パイプ６が下部筒状体１２にネジ止めされる。
【００１３】  図２はジョイント機構１０の内部構造を示したもので、すなわち上下部筒状体１１・１２の内側に筒状のゴムパッキング１５・１６が夫々位置し、ゴムパッキング１５・１６はセンター軸１７の上下部外側に挿着されている。センター軸１７は上下部筒状体１１・１２の双方に跨るもので、上部と下部を仕切るようにして中間リング１８が一体形成されている。中間リング１８には４カ所に凸ピン１９が等間隔に突出し、この凸ピン１９が波形曲面１３・１４の山部１３ａ・１４ａに穿ったボス孔Ｈに止着されることで上下筒状体１１・１２がセンター軸１７により固定される。
【００１４】  ゴムパッキング１５・１６は細径部１５ａ・１６ａと大径部１５ｂ・１６ｂからなり、大径部１５ｂ・１６ｂが上下部筒状体１１・１２の内面に密着し、細径部１５ａ・１６ａの先端がセンター軸１７の中間リング１８に当接していて夫々が締め付けネジＳでセンター軸１７の長手中心部に螺着されている。なお図示のように前記した入力軸２は取り付けネジＴにより上部筒状体１１に軸着され、駆動パイプ６は固定ネジ２０により下部筒状体１２に固定されている。
【００１５】  ジョイント機構１０の組立にあたっては、図３のように上下部筒状体１５・１６の波形曲面１３・１４の個所をあらかじめプレス加工で広げておく。そしてセンター軸１７の中間リング１８に突出している凸ピン１９に、ボス孔Ｈを合わせるようにして広げた個所を収縮すれば凸ピン１９がボス孔Ｈに係止するので上下部筒状体１５・１６にセンター軸１７が固定される。ボス孔Ｈに凸ピン１９が係合するため他のネジ止め部材が不要でネジ頭が突出することもなく、したがって上下部筒状体１５・１６はセンター軸１７を介して容易に接続されることになり作業能率が向上する。
【００１６】  本考案は上記のように構成したもので、シート５の巻き上げ・巻き戻し作業をするためハンドル７を回転操作すると駆動パイプ６が回転し、この駆動パイプ６の回転により上下の筒状体１１・１２も連動して回転する。同時に入力軸２が回転するとともに回転伝達手段を内蔵したケーシング１を介して出力軸３が回転すると、出力軸３に取り付けた巻取軸４が回転するためシート５が巻き上げ・巻き戻しされる。このときハンドル操作者の立ち位置に余裕があって駆動パイプ６に余計な角度を付ける必要がなければハンドル７にも余分な負荷がかゝらないため楽に操作ができる。
【００１７】  操作者の立ち位置によっては駆動パイプ６に角度をつけるが、駆動パイプ６が挿着してある下部筒状体１２及びそれと接続された上部筒状体１１にはセンター軸１７があり、センター軸１７の外側にはゴムパッキング１５・１６が存在するため駆動パイプ６を傾斜させてもその負荷はゴムパッキング１５・１６が夫々吸収するため上下部筒状体１１・１２は負荷に応じてフレキシブルな曲げ機能を発揮する。無論その角度にも限度はあるが、従来のような角度設定をしたジョイント装置と異なって本ジョイント機構１０は傾斜角度に対応できるためハンドル７に無駄な力が加わることがなく、操作者の負担が軽減できて巻き上げ・巻き戻し作業を迅速に遂行できるものである。
【符号の説明】
【００１８】１    ケーシング
２    入力軸
３    出力軸
４    巻取軸
５    シート
６    駆動パイプ
７    ハンドル
１０  ジョイント機構
１１  上部筒状体
１２  下部筒状体
１３・１４  波形曲面
１３ａ・１４ａ  山部
１３ｂ・１４ｂ  谷部
１５・１６  ゴムパッキング
１７  センター軸
１８  中間リング
１９  凸ピン
Ｈ    ボス孔
Ｓ    締め付けネジ
Ｔ    取り付けネジ
２０  固定ネジ
【図１】
0003152740.tif 000003
【図２】
0003152740.tif 000004
【図３】
0003152740.tif 000005